(57)【要約】【課題】カード挿入口が形成されるカード挿入部材の前側に取り付けられたスキミング用磁気ヘッドおよびカード挿入口の傾斜面に取り付けられたスキミング用磁気ヘッドを簡易な構成で検知することが可能なカードリーダを提供する。【解決手段】このカードリーダは、カード挿入口３が形成されるカード挿入部材８と、カード挿入部材８に異物が取り付けられたことを検知するための発光素子９および受光素子とを備えている。カード挿入口３の下面は、前側に向かうにしたがって下側へ向かうように傾斜する傾斜面３ａとなっている。発光素子９から射出された光は、奥側かつ下側から傾斜面３ａに入射するとともに傾斜面３ａで屈折して少なくとも前側に向かって傾斜面３ａから射出され、受光素子には、発光素子９から射出され傾斜面３ａの前側かつ上側で反射された光、および、発光素子９から射出されカード挿入部材８の前側で反射された光が入射する。【選択図】図４
2019046516.tif 000002
【特許請求の範囲】
【請求項１】
カードに記録された磁気データの読取りおよび前記カードへの磁気データの記録の少なくともいずれか一方を行う磁気ヘッドと、前記カードが挿入されるカード挿入口が形成されるカード挿入部材と、前記カード挿入部材に異物が取り付けられたことを検知するための発光素子および受光素子とを備え、
前記カード挿入口への前記カードの挿入方向側を奥側とし、前記カード挿入口からの前記カードの排出方向側を前側とし、前記カード挿入口に挿入された前記カードの厚さ方向の一方側を第１方向側とし、第１方向側の反対側を第２方向側とし、前記カード挿入口に対する前記カードの挿入排出方向を前後方向とすると、
前記磁気ヘッドは、第１方向側から前記カードに接触するように配置され、
前記カード挿入口の第１方向側の面は、前側に向かうにしたがって第１方向側へ向かうように傾斜する凸曲面状または平面状の傾斜面となっており、
前記発光素子から射出された光は、前記カード挿入部材の一部分を通過した後、奥側かつ第１方向側から前記傾斜面に入射するとともに前記傾斜面で屈折して少なくとも前側に向かって前記傾斜面から射出され、
前記受光素子には、前記発光素子から射出され前記傾斜面の前側かつ第２方向側で反射された光、および、前記発光素子から射出され前記カード挿入部材の前側で反射された光が入射することを特徴とするカードリーダ。
【請求項２】
前後方向と前記カードの厚さ方向とに直交する方向を前記カードの幅方向とすると、
前記カードの幅方向から見たときに、前記傾斜面から射出される光の光軸は、前側に向かうにしたがって第２方向側に向かうように傾斜しており、前記傾斜面から射出される光の光軸の前後方向に対する傾斜角度は、前記傾斜面に入射する光の光軸の前後方向に対する傾斜角度よりも小さくなっていることを特徴とする請求項１記載のカードリーダ。
【請求項３】
前記カード挿入口の奥端に繋がるとともに前記カード挿入口に挿入された前記カードが移動するカード移動路が形成され、
前記カードの幅方向から見たときに、前記傾斜面から射出される光の光軸は、前記カード挿入口の前端から前側に向かって少なくとも１０ｃｍの範囲において、前記カード移動路の第１方向側の面から前側に伸びる直線状の仮想線よりも第１方向側にあることを特徴とする請求項２記載のカードリーダ。
【請求項４】
前記発光素子および前記受光素子は、前記カード移動路よりも第１方向側に配置されていることを特徴とする請求項１から３のいずれかに記載のカードリーダ。
【請求項５】
前記傾斜面は、平面状に形成されていることを特徴とする請求項１から４のいずれかに記載のカードリーダ。
【請求項６】
前記発光素子は、赤外光を射出し、
前記カード挿入部材は、赤外光を透過させるとともに可視光を遮断することを特徴とする請求項１から５のいずれかに記載のカードリーダ。
【請求項７】
前後方向から見たときに、前記受光素子は、前記カードの幅方向において前記磁気ヘッドと同じ位置に配置されていることを特徴とする請求項１から６のいずれかに記載のカードリーダ。
【請求項８】
前記カード挿入部材には、前記発光素子から射出された光が入射する入射面が形成され、
前記発光素子から射出され前記入射面を透過した光が前記傾斜面に入射することを特徴とする請求項１から７のいずれかに記載のカードリーダ。
【請求項９】
前記カード挿入部材には、前記発光素子から射出された光が入射する入射面と、前記傾斜面に向かって光を反射する反射面とが形成され、
前記発光素子から射出され前記入射面を透過した光が前記反射面で反射された後、前記傾斜面に入射することを特徴とする請求項１から７のいずれかに記載のカードリーダ。
【発明の詳細な説明】
【技術分野】
【０００１】
本発明は、カードに記録された磁気データの読取りやカードへの磁気データの記録を行うカードリーダに関する。
【背景技術】
【０００２】
従来、犯罪者がカードリーダのカード挿入部に磁気ヘッドを取り付けて、この磁気ヘッドでカードの磁気データを不正に取得するいわゆるスキミングを阻止することが可能なカードリーダが知られている（たとえば、特許文献１参照）。特許文献１に記載のカードリーダは、カード挿入部（フロントパネル）の前側にスキミング用の磁気ヘッド（以下、「スキミング用磁気ヘッド」とする）が取り付けられたことを検知するためのフォトリフレクタを備えている。このカードリーダでは、カード挿入部の前側にスキミング用磁気ヘッドが取り付けられたことがフォトリフレクタによって検知されたときに所定の処理を実行することで、スキミングを阻止することが可能となっている。
【０００３】
なお、特許文献１に記載のカードリーダでは、カードリーダに挿入されたカードの下面に接触するように磁気ヘッドが配置されている。また、このカードリーダでは、カード挿入口へのカードの挿入が容易となるように、カード挿入口の下面は、前側に向かうにしたがって下側へ向かうように傾斜する平面状の傾斜面となっており、カード挿入口の上面は、前側に向かうにしたがって上側へ向かうように傾斜する平面状の傾斜面となっている。
【先行技術文献】
【特許文献】
【０００４】
【特許文献１】特開２００７−２６５１８９号公報
【発明の概要】
【発明が解決しようとする課題】
【０００５】
犯罪者によるスキミングは年々、巧妙化しており、従来、スキミング用磁気ヘッドが取り付けられることのなかったカード挿入口の下面（傾斜面）に、小型のスキミング用磁気ヘッドが取り付けられるといった事態が生じている。特許文献１に記載のカードリーダでは、カード挿入部の前側に取り付けられたスキミング用磁気ヘッドをフォトリフレクタによって検知することは可能である。しかしながら、特許文献１に記載のカードリーダでは、カード挿入口の傾斜面にスキミング用磁気ヘッドが取り付けられる事態は想定されておらず、カード挿入口の傾斜面に取り付けられたスキミング用磁気ヘッドを検知することは困難である。
【０００６】
そこで、本発明の課題は、カード挿入口が形成されるカード挿入部材の前側に取り付けられたスキミング用磁気ヘッドおよびカード挿入口の傾斜面に取り付けられたスキミング用磁気ヘッドを簡易な構成で検知することが可能なカードリーダを提供することにある。
【課題を解決するための手段】
【０００７】
上記の課題を解決するため、本発明のカードリーダは、カードに記録された磁気データの読取りおよびカードへの磁気データの記録の少なくともいずれか一方を行う磁気ヘッドと、カードが挿入されるカード挿入口が形成されるカード挿入部材と、カード挿入部材に異物が取り付けられたことを検知するための発光素子および受光素子とを備え、カード挿入口へのカードの挿入方向側を奥側とし、カード挿入口からのカードの排出方向側を前側とし、カード挿入口に挿入されたカードの厚さ方向の一方側を第１方向側とし、第１方向側の反対側を第２方向側とし、カード挿入口に対するカードの挿入排出方向を前後方向とすると、磁気ヘッドは、第１方向側からカードに接触するように配置され、カード挿入口の第１方向側の面は、前側に向かうにしたがって第１方向側へ向かうように傾斜する凸曲面状または平面状の傾斜面となっており、発光素子から射出された光は、カード挿入部材の一部分を通過した後、奥側かつ第１方向側から傾斜面に入射するとともに傾斜面で屈折して少なくとも前側に向かって傾斜面から射出され、受光素子には、発光素子から射出され傾斜面の前側かつ第２方向側で反射された光、および、発光素子から射出されカード挿入部材の前側で反射された光が入射することを特徴とする。
【０００８】
本発明のカードリーダは、カード挿入部材に異物が取り付けられたことを検知するための発光素子および受光素子を備えており、発光素子から射出された光は、カード挿入口の第１方向側の面である傾斜面に奥側かつ第１方向側から入射するとともに傾斜面で屈折して少なくとも前側に向かって傾斜面から射出される。また、本発明では、受光素子に、発光素子から射出され傾斜面の前側かつ第２方向側で反射された光、および、発光素子から射出されカード挿入部材の前側で反射された光が入射する。
【０００９】
そのため、本発明では、カード挿入部材の前側にスキミング用磁気ヘッドが取り付けられた場合、および、カード挿入口の傾斜面にスキミング用磁気ヘッドが取り付けられた場合のいずれの場合であっても、共通の発光素子と受光素子とを用いてスキミング用磁気ヘッドを検知することが可能になる。したがって、本発明では、カード挿入部材の前側に取り付けられたスキミング用磁気ヘッドおよびカード挿入口の傾斜面に取り付けられたスキミング用磁気ヘッドを簡易な構成で検知することが可能になる。
【００１０】
本発明において、前後方向とカードの厚さ方向とに直交する方向をカードの幅方向とすると、カードの幅方向から見たときに、傾斜面から射出される光の光軸は、前側に向かうにしたがって第２方向側に向かうように傾斜しており、傾斜面から射出される光の光軸の前後方向に対する傾斜角度は、傾斜面に入射する光の光軸の前後方向に対する傾斜角度よりも小さくなっていることが好ましい。このように構成すると、傾斜面から射出される光の前後方向の照射範囲を広げやすくなる。したがって、カード挿入部材の前側に取り付けられるスキミング用磁気ヘッドの前後方向の検知領域を広げることが可能になり、その結果、カード挿入部材の前側に取り付けられたスキミング用磁気ヘッドを検知しやすくなる。
【００１１】
本発明において、カードリーダには、カード挿入口の奥端に繋がるとともにカード挿入口に挿入されたカードが移動するカード移動路が形成され、カードの幅方向から見たときに、傾斜面から射出される光の光軸は、カード挿入口の前端から前側に向かって少なくとも１０ｃｍの範囲において、カード移動路の第１方向側の面から前側に伸びる直線状の仮想線よりも第１方向側にあることが好ましい。本願発明者の検討によれば、このように構成すると、カード挿入部材の前側に取り付けられるスキミング用磁気ヘッドの想定取付範囲（スキミング用磁気ヘッドが取り付けられると想定される範囲）に対して、傾斜面から射出された光を照射することが可能になる。したがって、カード挿入部材の前側に取り付けられたスキミング用磁気ヘッドをより検知しやすくなる。
【００１２】
本発明において、発光素子および受光素子は、カード移動路よりも第１方向側に配置されている。また、本発明において、傾斜面は、たとえば、平面状に形成されている。
【００１３】
本発明において、発光素子は、赤外光を射出し、カード挿入部材は、赤外光を透過させるとともに可視光を遮断することが好ましい。このように構成すると、カード挿入部材の外部から受光素子に可視光が入射するのを防止することが可能になるため、受光素子の誤検知を防止することが可能になる。したがって、カード挿入部材の前側に取り付けられたスキミング用磁気ヘッドおよびカード挿入口の傾斜面に取り付けられたスキミング用磁気ヘッドを精度良く検知することが可能になる。
【００１４】
本発明において、前後方向から見たときに、受光素子は、カードの幅方向において磁気ヘッドと同じ位置に配置されていることが好ましい。スキミング用磁気ヘッドは、一般に、カードの幅方向において磁気ヘッドと同じ位置に配置されるため、このように構成すると、スキミング用磁気ヘッドを検知しやすくなる。
【００１５】
本発明において、カード挿入部材には、発光素子から射出された光が入射する入射面が形成され、発光素子から射出され入射面を透過した光が傾斜面に入射することが好ましい。このように構成すると、カード挿入部材の形状を簡素化することが可能になる。また、本発明において、カード挿入部材には、発光素子から射出された光が入射する入射面と、傾斜面に向かって光を反射する反射面とが形成され、発光素子から射出され入射面を透過した光が反射面で反射された後、傾斜面に入射しても良い。
【発明の効果】
【００１６】
以上のように、本発明のカードリーダでは、カード挿入口が形成されるカード挿入部材の前側に取り付けられたスキミング用磁気ヘッドおよびカード挿入口の傾斜面に取り付けられたスキミング用磁気ヘッドを簡易な構成で検知することが可能になる。
【図面の簡単な説明】
【００１７】
【図１】本発明の実施の形態にかかるカードリーダの概略図である。
【図２】図１に示すカードの裏面を示す図である。
【図３】図１のＥ−Ｅ方向からカード挿入部材、発光素子および受光素子等を示す図である。
【図４】図１のＦ部の拡大図である。
【図５】本発明の他の実施の形態にかかるカード挿入部材の構成および発光素子の配置を説明するための図である。
【発明を実施するための形態】
【００１８】
以下、図面を参照しながら、本発明の実施の形態を説明する。
【００１９】
（カードリーダの概略構成）
図１は、本発明の実施の形態にかかるカードリーダ１の概略図である。図２は、図１に示すカード２の裏面を示す図である。図３は、図１のＥ−Ｅ方向からカード挿入部材８、発光素子９および受光素子１０等を示す図である。図４は、図１のＦ部の拡大図である。
【００２０】
本形態のカードリーダ１は、カード２に記録された磁気データの読取りやカード２への磁気データの記録を行うための装置である。このカードリーダ１は、たとえば、ＡＴＭ等の所定の上位装置に搭載されて使用される。
【００２１】
カード２は、厚さが０．７〜０．８ｍｍ程度の略長方形状の塩化ビニール製のカードである。カード２の裏面には、磁気データが記録される磁気ストライプ２ａが形成されている。磁気ストライプ２ａは、略長方形状に形成されるカード２の長手方向に沿って形成されている。なお、カード２には、ＩＣチップが内蔵されていても良い。また、カード２は、厚さが０．１８〜０．３６ｍｍ程度のＰＥＴ（ポリエチレンテレフタレート）カードであっても良いし、所定の厚さの紙カード等であっても良い。
【００２２】
カードリーダ１には、カード２が挿入されるとともにカード２が排出されるカード挿入口３と、カード挿入口３に挿入されたカード２が移動するカード移動路４とが形成されている。カードリーダ１は、カード２に記録された磁気データの読取りおよびカード２への磁気データの記録の少なくともいずれか一方を行う磁気ヘッド５と、カード移動路４においてカード２を搬送するための駆動ローラ６およびパッドローラ７とを備えている。また、カードリーダ１は、カード挿入口３が形成されるカード挿入部材（ベゼル）８と、カード挿入部材８に異物が取り付けられたことを検知するための発光素子９および受光素子１０とを備えている。
【００２３】
本形態では、カード挿入口３に挿入されたカード２は、図１に示すＸ方向で移動する。すなわち、Ｘ方向は、カード２の移動方向であるとともに、カード挿入口３に対するカード２の挿入排出方向である。以下の説明では、カード２の移動方向（Ｘ方向）を前後方向とする。また、カード挿入口３に挿入されたカード２の厚さ方向（図１等のＺ方向）を上下方向とし、前後方向と上下方向とに直交するカード２の幅方向（図１等のＹ方向）を左右方向とする。
【００２４】
また、以下の説明では、前後方向のうちの、カード挿入口３へのカード２の挿入方向側（図１等のＸ２方向側）を奥側とし、カード挿入口３からのカード２の排出方向側（図１等のＸ１方向側）を前側とし、上下方向のうちの、図１等のＺ１方向側を上側とし、その反対側である図１等のＺ２方向側を下側とする。本形態の下側は、カード２の厚さ方向の一方側である第１方向側となっており、上側は、第１方向側の反対側である第２方向側となっている。
【００２５】
カード移動路４は、カード挿入口３の奥端に繋がっている。カード２は、カード２の裏面が下側を向いた状態で、かつ、カード２の長手方向が前後方向と一致した状態で、カード挿入口３に挿入されて、カード移動路４を移動する。磁気ヘッド５は、下側からカード移動路４に臨むように配置されている。すなわち、磁気ヘッド５は、下側からカード２に接触するように配置されている。また、磁気ヘッド５は、左右方向において、磁気ストライプ２ａが通過する位置に配置されている。駆動ローラ６とパッドローラ７とは、上下方向で対向するように配置されている。駆動ローラ６には、駆動ローラ６を駆動する駆動機構（図示省略）が連結されている。パッドローラ７は、駆動ローラ６に向かって付勢されている。
【００２６】
（カード挿入部材、発光素子、受光素子の構成および発光素子、受光素子の配置）
発光素子９は、赤外光を射出する。本形態の発光素子９は、赤外線ＬＥＤである。受光素子１０は、赤外光を受光可能となっている。発光素子９および受光素子１０は、共通の基板１１に実装されている。基板１１は、ガラスエポキシ基板等のリジッド基板またはフレキシブルプリント基板である。本形態では、２個の発光素子９と１個の受光素子１０とが基板１１に実装されている。２個の発光素子９は、左右方向において受光素子１０を挟むように配置されている。発光素子９、受光素子１０および基板１１は、カード挿入部材８の内部に配置されている。なお、図１では、基板１１の図示を省略している。
【００２７】
カード挿入部材８は、カードリーダ１の前端部を構成している。カード挿入部材８は、樹脂で形成されている。具体的には、カード挿入部材８は、赤外光は透過させるが可視光は遮断する黒色の樹脂材料で形成されている。カード挿入部材８の前面は、前後方向に直交する平面となっている。カード挿入部材８には、上述のように、カード挿入口３が形成されている。また、カード挿入部材８には、カード移動路４の前端部が形成されており、上述のように、カード移動路４の前端は、カード挿入口３の奥端に繋がっている。カード移動路４の前端部およびカード挿入口３は、前後方向でカード挿入部材８を貫通している。
【００２８】
カード挿入部材８に形成されるカード移動路４の前端部の下面および上面は、上下方向に直交する平面となっている。カード挿入口３の奥端の、前後方向から見たときの形状は、左右方向に細長い長方形状となっている。カード挿入口３の下面は、前側に向かうにしたがって下側へ向かうように傾斜する平面状の傾斜面３ａとなっている。カード挿入口３の上面は、前側に向かうにしたがって上側に向かうように傾斜する平面状の傾斜面３ｂとなっている。また、カード挿入口３の左右の両面は、前側に向かうにしたがって左右方向の外側へ向かうように傾斜する平面状の傾斜面３ｃとなっている。
【００２９】
カード挿入部材８の、カード移動路４よりも下側の部分である下側部８ａは、奥端側が開口する中空状に形成されている。下側部８ａの内部には、発光素子９、受光素子１０および基板１１が配置されている。すなわち、発光素子９、受光素子１０および基板１１は、カード移動路４よりも下側に配置されている。発光素子９および受光素子１０は、前後方向から見たときに、左右方向において磁気ヘッド５と略同じ位置に配置されている。また、本形態の磁気ヘッド５は、左右方向で隣り合う２個のヘッドコアを有する２チャンネル型の磁気ヘッドであり、受光素子１０は、前後方向から見たときに、左右方向において磁気ヘッド５の一方のチャンネルと同じ位置に配置されている。すなわち、受光素子１０は、前後方向から見たときに、左右方向において磁気ヘッド５と同じ位置に配置されている。
【００３０】
発光素子９は、斜め前上側に向かって光を射出する。受光素子１０の受光面は、斜め前上側を向いている。本形態では、左右方向から見たときに、発光素子９の光軸と受光素子１０の光軸とが略一致している。図４に示すように、中空状に形成される下側部８ａの内側面には、発光素子９から射出された光が入射する入射面８ｂが形成されている。入射面８ｂは、発光素子９から射出され入射面８ｂに入射する光の光軸に直交する平面となっている。また、入射面８ｂは、傾斜面３ａの斜め奥下側に配置されている。上下方向に対する入射面８ｂの傾斜角度θ１は、上下方向に対する傾斜面３ａの傾斜角度θ２よりも小さくなっている。
【００３１】
本形態では、図４に示すように、発光素子９から射出され入射面８ｂを透過した光が傾斜面３ａに入射する。具体的には、発光素子９から射出された光は、入射面８ｂに入射するとともに入射面８ｂを透過し、カード挿入部材８の、入射面８ｂと傾斜面３ａとの間の部分を通過した後、奥側かつ下側から傾斜面３ａに入射する。すなわち、発光素子９から射出された光は、カード挿入部材８の一部分を通過した後、奥側かつ下側から傾斜面３ａに入射する。
【００３２】
また、入射面８ｂを透過して傾斜面３ａに入射した光は、傾斜面３ａで屈折して前側に向かって傾斜面３ａから射出される。本形態の発光素子９は、たとえば、志向性の強い赤外光を射出する。そのため、傾斜面３ａから射出される光は、前側に向かって直線的に進む。なお、傾斜面３ａから射出される光は、たとえば、上下の両側および左右の両側に広がっていても良い。
【００３３】
図４に示すように、左右方向から見たときに、傾斜面３ａから射出される光の光軸Ｌ１は、前側に向かうにしたがって上側に向かうように傾斜している。また、左右方向から見たときに、傾斜面３ａから射出される光の光軸Ｌ１の前後方向に対する傾斜角度θ３は、傾斜面３ａに入射する光の光軸Ｌ２の前後方向に対する傾斜角度θ４よりも小さくなっている。傾斜角度θ３は、たとえば、２°程度である。
【００３４】
受光素子１０には、発光素子９から射出され傾斜面３ａの前側かつ上側で反射された光、および、発光素子９から射出されカード挿入部材８の前側で反射された光が入射する。具体的には、傾斜面３ａから射出され傾斜面３ａの前側かつ上側で反射された光、および、傾斜面３ａから射出されカード挿入部材８の前側で反射された光が受光素子１０に入射する。
【００３５】
ここで、スキミング用磁気ヘッド２０がカード挿入部材８の前側に取り付けられる場合、スキミング用磁気ヘッド２０は、カード移動路４よりも下側であって、かつ、カード挿入口３の前端から前側に向かって所定の距離Ｄの範囲に配置されることが想定される（図４参照）。本願発明者の検討によると、スキミング用磁気ヘッド２０は、カード移動路４よりも下側であって、かつ、カード挿入口３の前端から前側に向かって１０（ｃｍ）の範囲に配置されることが想定される。そのため、本形態では、傾斜面３ａから射出される光の光軸Ｌ１は、左右方向から見たときに、カード挿入口３の前端から前側に向かって少なくとも１０（ｃｍ）の範囲において、カード移動路４の下面から前側に伸びる直線状の仮想線ＶＬよりも下側にある。
【００３６】
（本形態の主な効果）
以上説明したように、本形態では、発光素子９から射出された光は、カード挿入口３の傾斜面３ａに奥側かつ下側から入射するとともに傾斜面３ａで屈折して前側に向かって傾斜面３ａから射出される。また、本形態では、発光素子９から射出され傾斜面３ａの前側かつ上側で反射された光、および、発光素子９から射出されカード挿入部材８の前側で反射された光が受光素子１０に入射する。
【００３７】
そのため、本形態では、カード挿入部材８の前側にスキミング用磁気ヘッド２０が取り付けられた場合、および、カード挿入口３の傾斜面３ａにスキミング用磁気ヘッド２０が取り付けられた場合のいずれの場合においても、共通の発光素子９と受光素子１０とを用いてスキミング用磁気ヘッド２０を検知することが可能になる。したがって、本形態では、カード挿入部材８の前側に取り付けられたスキミング用磁気ヘッド２０およびカード挿入口３の傾斜面３ａに取り付けられたスキミング用磁気ヘッド２０を簡易な構成で検知することが可能になる。
【００３８】
本形態では、左右方向から見たときに、傾斜面３ａから射出される光の光軸Ｌ１は、前側に向かうにしたがって上側に向かうように傾斜しており、光軸Ｌ１の前後方向に対する傾斜角度θ３は、傾斜面３ａに入射する光の光軸Ｌ２の前後方向に対する傾斜角度θ４よりも小さくなっている。そのため、本形態では、傾斜面３ａから射出される光の前後方向の照射範囲を広げやすくなる。したがって、本形態では、カード挿入部材８の前側に取り付けられるスキミング用磁気ヘッド２０の前後方向の検知領域を広げることが可能になり、その結果、カード挿入部材８の前側に取り付けられたスキミング用磁気ヘッド２０を検知しやすくなる。
【００３９】
特に本形態では、左右方向から見たときに、傾斜面３ａから射出される光の光軸Ｌ１は、カード挿入口３の前端から前側に向かって少なくとも１０ｃｍの範囲において、仮想線ＶＬよりも下側にあるため、カード挿入部材８の前側に取り付けられるスキミング用磁気ヘッド２０の想定取付範囲に対して、傾斜面３ａから射出された光を照射することが可能になる。したがって、本形態では、カード挿入部材８の前側に取り付けられたスキミング用磁気ヘッド２０をより検知しやすくなる。
【００４０】
本形態では、カード挿入部材８は、赤外光は透過させるが可視光は遮断する。そのため、本形態では、カード挿入部材８の外部から受光素子１０に可視光が入射するのを防止することが可能になり、その結果、受光素子１０の誤検知を防止することが可能になる。したがって、本形態では、カード挿入部材８の前側に取り付けられたスキミング用磁気ヘッド２０およびカード挿入口３の傾斜面３ａに取り付けられたスキミング用磁気ヘッド２０を精度良く検知することが可能になる。
【００４１】
また、スキミング用磁気ヘッド２０は、一般に、左右方向において磁気ヘッド５と同じ位置に配置されるが、本形態では、前後方向から見たときに、受光素子１０が左右方向において磁気ヘッド５と同じ位置に配置されているため、カード挿入部材８の前側に取り付けられたスキミング用磁気ヘッド２０およびカード挿入口３の傾斜面３ａに取り付けられたスキミング用磁気ヘッド２０を検知しやすくなる。
【００４２】
（他の実施の形態）
上述した形態は、本発明の好適な形態の一例ではあるが、これに限定されるものではなく本発明の要旨を変更しない範囲において種々変形実施が可能である。
【００４３】
上述した形態において、図５に示すように、中空状に形成される下側部８ａの内側面に、発光素子９から射出された光が入射する入射面８ｃと、傾斜面３ａに向かって光を反射する反射面８ｄとが形成されていても良い。この場合には、発光素子９から射出され入射面８ｃを透過した光が反射面８ｄで反射された後、傾斜面３ａに入射する。なお、図５に示す変形例と比較して、上述した形態の方がカード挿入部材８の形状を簡素化することが可能になる。
【００４４】
図５に示す変形例では、たとえば、発光素子９は真上に向かって光を射出し、受光素子１０の受光面は真上を向いている。また、入射面８ｃは、たとえば、上下方向に直交する平面であり、発光素子９から射出され入射面８ｃに入射する光の光軸に直交している。また、反射面８ｄの角度は、反射面８ｄに入射する光が全反射する角度に設定されている。図５では、上述した形態と同様の構成には、同一の符号を付している。
【００４５】
上述した形態において、カード２の裏面に形成される磁気ストライプ２ａに代えて、または、磁気ストライプ２ａに加えて、カード２のおもて面に磁気ストライプが形成されていても良い。この場合には、カードリーダ１は、磁気ヘッド５に代えて、または、磁気ヘッド５に加えて、上側からカード２に接触する磁気ヘッドを備えている。また、この場合には、カード挿入部材８の、カード移動路４よりも上側の部分である上側部は中空状に形成されており、上側部の内部に、発光素子９、受光素子１０および基板１１が配置されている。
【００４６】
また、この場合には、たとえば、中空状に形成される上側部の内側面に、発光素子９から射出された光が入射する入射面が形成されており、発光素子９から射出されこの入射面を透過した光は、奥側かつ上側から傾斜面３ｂに入射する。また、傾斜面３ｂに入射した光は、傾斜面３ｂで屈折して前側に向かって傾斜面３ｂから射出される。左右方向から見たときに、傾斜面３ｂから射出される光の光軸は、前側に向かうにしたがって下側に向かうように傾斜している。受光素子１０には、発光素子９から射出され傾斜面３ｂの前側かつ下側で反射された光、および、発光素子９から射出されカード挿入部材８の前側で反射された光が入射する。
【００４７】
なお、磁気ストライプ２ａに代えて、カード２のおもて面に磁気ストライプが形成されている場合には、下側部８ａの内部に、発光素子９、受光素子１０および基板１１は配置されていない。また、磁気ストライプ２ａに代えて、カード２のおもて面に磁気ストライプが形成されている場合には、上側（Ｚ１方向側）は第１方向側となり、下側（Ｚ２方向側）は第２方向側となる。
【００４８】
上述した形態において、傾斜面３ａから射出される光の光軸Ｌ１は、前後方向と平行であっても良いし、前側に向かうにしたがって下側へ向かうように傾斜していても良い。また、上述した形態において、カード挿入口３の前端から前側に向かって１０（ｃｍ）の範囲で、傾斜面３ａから射出される光の光軸Ｌ１が仮想線ＶＬより上側に配置されることがあっても良い。さらに、上述した形態において、傾斜面３ａは、凸曲面状に形成されていても良い。また、上述した形態において、発光素子９、受光素子１０および基板１１は、カード挿入部材８の外部に配置されていても良い。具体的には、発光素子９、受光素子１０および基板１１は、カード挿入部材８の奥端より奥側に配置されていても良い。
【００４９】
上述した形態において、基板１１に実装される発光素子９は１個であっても良い。ただし、２個の発光素子９が基板１１に実装されている場合には、発光素子９の光の照射範囲を広げることが可能になるため、スキミング用磁気ヘッド２０の検知領域を広げることが可能になる。また、上述した形態では、カードリーダ１は、駆動ローラ６およびパッドローラ７を有するカード搬送式のカードリーダであるが、カードリーダ１は、ユーザが手動で操作を行う手動式のカードリーダであっても良い。
【符号の説明】
【００５０】
１  カードリーダ
２  カード
３  カード挿入口
３ａ  傾斜面
４  カード移動路
５  磁気ヘッド
８  カード挿入部材
８ｂ、８ｃ  入射面
８ｄ  反射面
９  発光素子
１０  受光素子
Ｌ１  傾斜面から射出される光の光軸
Ｌ２  傾斜面に入射する光の光軸
ＶＬ  仮想線
Ｘ  前後方向（カードの挿入排出方向）
Ｘ１  前側（カードの排出方向側）
Ｘ２  奥側（カードの挿入方向側）
Ｙ  カードの幅方向
Ｚ  カードの厚さ方向
Ｚ１  第２方向側
Ｚ２  第１方向側
θ３  傾斜面から射出される光の光軸の傾斜角度
θ４  傾斜面に入射する光の光軸の傾斜角度
【図１】
2019046516.tif 000003
【図２】
2019046516.tif 000004
【図３】
2019046516.tif 000005
【図４】
2019046516.tif 000006
【図５】
2019046516.tif 000007